(57)【要約】【課題】Ｘ線グリッドの着脱動作を安全に行うことができる撮影台およびＸ線装置を提供することを目的とする。【解決手段】操作者のアクセス側に天板１がガイド５に対して移動したときには、天板１とともにカバー６が移動することにより当該カバー６がガイド５とともにグリッド着脱機構７を覆い、操作者がアクセスしないようにする。逆に、操作者のアクセスとは逆側に天板１がガイド５に対して移動したときには、天板１とともにカバー６が移動することによりガイド５とともにグリッド着脱機構７に対して当該カバー６が退避し、グリッド着脱機構７に対して操作者がアクセスすることができる。その結果、Ｘ線グリッド４の着脱動作を安全に行うことができる。【選択図】図５
2013215237.tif 000002
【特許請求の範囲】
【請求項１】
被検体を載置する載置手段と、
Ｘ線を検出するＸ線検出手段と、
散乱Ｘ線を除去するＸ線グリッドと、
前記Ｘ線検出手段に対して着脱可能に前記Ｘ線グリッドを取り付けるグリッド着脱手段と
を備え、
前記載置手段に載置された被検体の透視あるいは撮影を行う撮影台であって、
前記載置手段に対して、前記Ｘ線検出手段，前記Ｘ線グリッドおよび前記グリッド着脱手段とともに相対的に移動する案内手段と、
その案内手段と前記載置手段の前記被検体の載置面とは逆側の面との間に設けられたカバーと
を備え、
前記載置手段が前記案内手段に対して相対的に移動する際に、
操作者のアクセス側に載置手段が案内手段に対して相対的に移動したときには、載置手段とともに前記カバーが相対的に移動することにより当該カバーが案内手段とともに前記グリッド着脱手段を覆い、
操作者のアクセスとは逆側に載置手段が案内手段に対して相対的に移動したときには、載置手段とともに前記カバーが相対的に移動することにより案内手段とともに前記グリッド着脱手段に対して当該カバーが相対的に退避する
ように当該カバーを構成することを特徴とする撮影台。
【請求項２】
請求項１に記載の撮影台において、
前記カバーを、屈曲自在となるような物質あるいは形状で形成し、
当該カバーを、前記案内手段の面に沿わせて支持するように構成することで、
操作者のアクセス側に前記載置手段が案内手段に対して相対的に移動したときには、載置手段とともにカバーが相対的に移動し、その相対的な移動に伴ってカバーが案内手段に沿って屈曲されることよりカバーが案内手段とともに前記グリッド着脱手段を覆い、
操作者のアクセスとは逆側に載置手段が案内手段に対して相対的に移動したときには、載置手段とともにカバーが相対的に移動し、その相対的な移動に伴って案内手段とともにグリッド着脱手段に対してカバーが案内手段に沿って相対的に退避する
ことを特徴とする撮影台。
【請求項３】
Ｘ線を照射するＸ線照射手段と、
被検体を載置する載置手段と、
Ｘ線を検出するＸ線検出手段と、
散乱Ｘ線を除去するＸ線グリッドと、
前記Ｘ線検出手段に対して着脱可能に前記Ｘ線グリッドを取り付けるグリッド着脱手段と
を備え、
前記載置手段に載置された被検体に対して前記Ｘ線照射手段からＸ線を照射することで当該被検体の透視あるいは撮影を行うＸ線装置であって、
前記載置手段に対して、前記Ｘ線検出手段，前記Ｘ線グリッドおよび前記グリッド着脱手段とともに相対的に移動する案内手段と、
その案内手段と前記載置手段の前記被検体の載置面とは逆側の面との間に設けられたカバーと
を備え、
前記載置手段が前記案内手段に対して相対的に移動する際に、
操作者のアクセス側に載置手段が案内手段に対して相対的に移動したときには、載置手段とともに前記カバーが相対的に移動することにより当該カバーが案内手段とともに前記グリッド着脱手段を覆い、
操作者のアクセスとは逆側に載置手段が案内手段に対して相対的に移動したときには、載置手段とともに前記カバーが相対的に移動することにより案内手段とともに前記グリッド着脱手段に対して当該カバーが相対的に退避する
ように当該カバーを構成することを特徴とするＸ線装置。
【請求項４】
請求項３に記載のＸ線装置において、
前記カバーを、屈曲自在となるような物質あるいは形状で形成し、
当該カバーを、前記案内手段の面に沿わせて支持するように構成することで、
操作者のアクセス側に前記載置手段が案内手段に対して相対的に移動したときには、載置手段とともにカバーが相対的に移動し、その相対的な移動に伴ってカバーが案内手段に沿って屈曲されることよりカバーが案内手段とともに前記グリッド着脱手段を覆い、
操作者のアクセスとは逆側に載置手段が案内手段に対して相対的に移動したときには、載置手段とともにカバーが相対的に移動し、その相対的な移動に伴って案内手段とともにグリッド着脱手段に対してカバーが案内手段に沿って相対的に退避する
ことを特徴とするＸ線装置。
【発明の詳細な説明】
【技術分野】
【０００１】
この発明は、散乱Ｘ線を除去するＸ線グリッドを備えた撮影台およびＸ線装置に係り、特に、Ｘ線を検出するＸ線検出手段に対して着脱可能にＸ線グリッドを取り付けるグリッド着脱手段を備えた技術に関する。
【背景技術】
【０００２】
被検体を載置する天板やベッド（載置手段）や当該被検体をＸ線が透過することにより散乱Ｘ線（散乱線）が生じる。Ｘ線装置では、その散乱Ｘ線の影響を排除するために、散乱Ｘ線を除去するＸ線グリッドを天板やベッドとＸ線検出器（Ｘ線検出手段）との間に配置して、Ｘ線装置で得られたＸ線画像の画質を向上させる。
【０００３】
Ｘ線グリッドは、Ｘ線を吸収する吸収体（例えば鉛など）とＸ線を透過する中間層（例えばアルミニウムあるいは空隙）とをＸ線の照射方向に沿って交互に配置して構成される。散乱Ｘ線はＸ線の照射方向とは異なる方向で散乱するので、散乱Ｘ線は吸収体にて遮蔽されることで散乱Ｘ線を除去する。一方、通常のＸ線は、照射方向に配置された２つの吸収体間の中間層を透過することで吸収体に遮蔽されることなくＸ線検出器に到達する。
【０００４】
しかし、Ｘ線グリッドの存在により、Ｘ線の線量を増やさないと十分な画質が得られない。そのために、余分な被曝を抑える必要がある妊婦や小児などに対しては、Ｘ線グリッドを通さない透視あるいは撮影が必要である。そこで、昨今ではＸ線検出器に対して着脱可能にＸ線グリッドを取り付けるグリッド着脱機構（グリッド着脱手段）がＸ線装置に搭載されている（例えば、特許文献１参照）。
【０００５】
特許文献１では、Ｘ線グリッドの着脱に関して不適切なタイミングでの撮影と、不適切なタイミングでのＸ線グリッドの着脱動作を禁止している。具体的には、グリッド着脱機構の他に、Ｘ線グリッドの取り付けや取り外しを規制するロック機構や、ロック機構の動作を監視するセンサ類などを備えている。これらを備えることによって、グリッド着脱動作中の不適切なタイミングを監視し、ロック機構を動作させて撮影動作を禁止する。また、撮影中にはＸ線グリッドの着脱動作を禁止するようにロック機構を制御する。
【先行技術文献】
【特許文献】
【０００６】
【特許文献１】特開２００３−２５０７９７号公報
【発明の概要】
【発明が解決しようとする課題】
【０００７】
しかしながら、このような構成を有する従来例の場合には、次のような問題がある。
すなわち、上述したようにＸ線グリッドは、天板やベッドとＸ線検出器との間に配置されているが、一般的には拡大率を抑えるために被検体・Ｘ線検出器間の距離をなるべく小さく抑えるのが適当である。つまり、被検体を載置する天板やベッド・Ｘ線検出器間の距離は狭い。その狭い隙間にグリッド着脱機構を備えるので、グリッド着脱機構によるＸ線グリッドの着脱動作が困難であるという問題がある。また、天板やベッドはＸ線の着脱方向（操作者のアクセス方向）に移動するものが多く、天板やベッドがグリッド着脱機構を覆い隠すような位置にある（操作者のアクセス側から見て奥側にグリッド着脱機構，手前側に天板やベッドがある）際にＸ線グリッドを挿入して取り付けると、装着に困難を伴う等の問題がある。
【０００８】
この発明は、このような事情に鑑みてなされたものであって、Ｘ線グリッドの着脱動作を安全に行うことができる撮影台およびＸ線装置を提供することを目的とする。
【課題を解決するための手段】
【０００９】
この発明は、このような目的を達成するために、次のような構成をとる。
すなわち、この発明に係る撮影台は、被検体を載置する載置手段と、Ｘ線を検出するＸ線検出手段と、散乱Ｘ線を除去するＸ線グリッドと、前記Ｘ線検出手段に対して着脱可能に前記Ｘ線グリッドを取り付けるグリッド着脱手段とを備え、前記載置手段に載置された被検体の透視あるいは撮影を行う撮影台であって、前記載置手段に対して、前記Ｘ線検出手段，前記Ｘ線グリッドおよび前記グリッド着脱手段とともに相対的に移動する案内手段と、その案内手段と前記載置手段の前記被検体の載置面とは逆側の面との間に設けられたカバーとを備え、前記載置手段が前記案内手段に対して相対的に移動する際に、操作者のアクセス側に載置手段が案内手段に対して相対的に移動したときには、載置手段とともに前記カバーが相対的に移動することにより当該カバーが案内手段とともに前記グリッド着脱手段を覆い、操作者のアクセスとは逆側に載置手段が案内手段に対して相対的に移動したときには、載置手段とともに前記カバーが相対的に移動することにより案内手段とともに前記グリッド着脱手段に対して当該カバーが相対的に退避するように当該カバーを構成することを特徴とするものである。
【００１０】
［作用・効果］この発明に係る撮影台によれば、載置手段に対して、Ｘ線検出手段，Ｘ線グリッドおよびグリッド着脱手段とともに相対的に移動する案内手段を備える。その他に、案内手段と載置手段の被検体の載置面とは逆側の面との間に設けられたカバーを備える。載置手段が案内手段に対して相対的に移動する際に、カバーを下記のように構成する。
【００１１】
すなわち、操作者のアクセス側に載置手段が案内手段に対して相対的に移動したときには、載置手段とともにカバーが相対的に移動することにより当該カバーが案内手段とともにグリッド着脱手段を覆う。つまり、操作者のアクセス側から見て奥側に案内手段・グリッド着脱手段，手前側から見て載置手段・カバーがあるときにカバーが案内手段とともにグリッド着脱手段を覆うことで操作者がアクセスしないようにする。
【００１２】
逆に、操作者のアクセスとは逆側に載置手段が案内手段に対して相対的に移動したときには、載置手段とともにカバーが相対的に移動することにより案内手段とともにグリッド着脱手段に対して当該カバーが相対的に退避する。つまり、操作者のアクセス側から見て手前側に案内手段・グリッド着脱手段，奥側から見て載置手段・カバーがあるときにグリッド着脱手段に対して操作者がアクセスすることができるようにするので、たとえ載置手段・Ｘ線検出手段間の距離が狭くても、Ｘ線グリッドを挿入して取り付ける、あるいは取り外すことができて装着に困難を伴うこともない。
【００１３】
したがって、Ｘ線グリッドの着脱動作を安全に行うことができる。また、カバーで覆う構造となっているので、載置手段に造影剤などの液体がかかっても、Ｘ線グリッドやＸ線検出手段に液体が被らないという効果をも奏する。
【００１４】
なお、「載置手段に対して、Ｘ線検出手段，Ｘ線グリッドおよびグリッド着脱手段とともに相対的に移動する案内手段」とは、Ｘ線検出手段，Ｘ線グリッドおよびグリッド着脱手段を固定し、カバーとともに載置手段のみが移動したときには、案内手段は、Ｘ線検出手段，Ｘ線グリッドおよびグリッド着脱手段とともに固定されることを意味する。
【００１５】
また、この発明に係るＸ線装置は、Ｘ線を照射するＸ線照射手段と、被検体を載置する載置手段と、Ｘ線を検出するＸ線検出手段と、散乱Ｘ線を除去するＸ線グリッドと、前記Ｘ線検出手段に対して着脱可能に前記Ｘ線グリッドを取り付けるグリッド着脱手段とを備え、前記載置手段に載置された被検体に対して前記Ｘ線照射手段からＸ線を照射することで当該被検体の透視あるいは撮影を行うＸ線装置であって、前記載置手段に対して、前記Ｘ線検出手段，前記Ｘ線グリッドおよび前記グリッド着脱手段とともに相対的に移動する案内手段と、その案内手段と前記載置手段の前記被検体の載置面とは逆側の面との間に設けられたカバーとを備え、前記載置手段が前記案内手段に対して相対的に移動する際に、操作者のアクセス側に載置手段が案内手段に対して相対的に移動したときには、載置手段とともに前記カバーが相対的に移動することにより当該カバーが案内手段とともに前記グリッド着脱手段を覆い、操作者のアクセスとは逆側に載置手段が案内手段に対して相対的に移動したときには、載置手段とともに前記カバーが相対的に移動することにより案内手段とともに前記グリッド着脱手段に対して当該カバーが相対的に退避するように当該カバーを構成することを特徴とするものである。
【００１６】
［作用・効果］この発明に係るＸ線装置によれば、この発明に係る撮影台の他に、Ｘ線照射手段を備えることで、載置手段に載置された被検体に対してＸ線照射手段からＸ線を照射することで当該被検体の透視あるいは撮影を行うＸ線装置を実現する。操作者のアクセス側に載置手段が案内手段に対して相対的に移動したときには、載置手段とともにカバーが相対的に移動することにより当該カバーが案内手段とともにグリッド着脱手段を覆い、操作者がアクセスしないようにする。逆に、操作者のアクセスとは逆側に載置手段が案内手段に対して相対的に移動したときには、載置手段とともにカバーが相対的に移動することにより案内手段とともにグリッド着脱手段に対して当該カバーが相対的に退避し、グリッド着脱手段に対して操作者がアクセスすることができる。その結果、Ｘ線グリッドの着脱動作を安全に行うことができる。
【００１７】
この発明に係る撮影台およびＸ線装置において、具体的にはカバーを下記のように構成・形成して、設けるのが好ましい。
すなわち、カバーを、屈曲自在となるような物質あるいは形状で形成し、当該カバーを、案内手段の面に沿わせて支持するように構成することで、操作者のアクセス側に載置手段が案内手段に対して相対的に移動したときには、載置手段とともにカバーが相対的に移動し、その相対的な移動に伴ってカバーが案内手段に沿って屈曲されることよりカバーが案内手段とともにグリッド着脱手段を覆い、操作者のアクセスとは逆側に載置手段が案内手段に対して相対的に移動したときには、載置手段とともにカバーが相対的に移動し、その相対的な移動に伴って案内手段とともにグリッド着脱手段に対してカバーが案内手段に沿って相対的に退避する。
【発明の効果】
【００１８】
この発明に係る撮影台およびＸ線装置によれば、操作者のアクセス側に載置手段が案内手段に対して相対的に移動したときには、載置手段とともにカバーが相対的に移動することにより当該カバーが案内手段とともにグリッド着脱手段を覆い、操作者がアクセスしないようにする。逆に、操作者のアクセスとは逆側に載置手段が案内手段に対して相対的に移動したときには、載置手段とともにカバーが相対的に移動することにより案内手段とともにグリッド着脱手段に対して当該カバーが相対的に退避し、グリッド着脱手段に対して操作者がアクセスすることができる。その結果、Ｘ線グリッドの着脱動作を安全に行うことができる。
【図面の簡単な説明】
【００１９】
【図１】実施例に係るＸ線画像診断装置の概略斜視図である。
【図２】実施例に係るＸ線画像診断装置の概略正面図である。
【図３】実施例に係るＸ線画像診断装置の概略側面図である。
【図４】グリッド着脱機構の概略平面図である。
【図５】長手方向から見た短手方向の端部において、（ａ）は操作者のアクセス側に天板・カバーが移動したときの概略側面図、（ｂ）は操作者のアクセスとは逆側に天板・カバーが移動したときの概略側面図である。
【図６】長手方向から見た短手方向の端部における従来のＸ線グリッドの着脱動作の概略側面図である。
【実施例】
【００２０】
以下、図面を参照してこの発明の実施例を説明する。
図１は、実施例に係るＸ線画像診断装置の概略斜視図であり、図２は、実施例に係るＸ線画像診断装置の概略正面図であり、図３は、実施例に係るＸ線画像診断装置の概略側面図であり、図４は、グリッド着脱機構の概略平面図であり、図５（ａ）は、長手方向から見た短手方向の端部において、操作者のアクセス側に天板・カバーが移動したときの概略側面図であり、図５（ｂ）は、長手方向から見た短手方向の端部において、操作者のアクセスとは逆側に天板・カバーが移動したときの概略側面図である。本実施例では、Ｘ線装置として、図１〜図３のＸ線画像診断装置を例に採って説明するとともに、撮影台として、図１〜図５の撮影台を例に採って説明する。また、図１および図２では、カバー等の図示を省略し、図３では、天板保持部等の図示を省略する。
【００２１】
本実施例では、Ｘ線画像診断装置は、図１〜図３に示すように、天板１に載置された被検体Ｍに対してＸ線管２からＸ線を照射することで当該被検体Ｍの透視あるいは撮影を行う。被検体Ｍの透視については、撮影時よりも微弱な線量のＸ線を照射して得られたＸ線画像を逐次にリアルタイムで表示することにより行う。被検体Ｍの撮影については、通常の線量のＸ線を照射して得られたＸ線画像を, ＲＡＭ（Random-Access Memory）などに代表される記憶媒体（図示省略）に一旦に書き込んで記憶してから、読み出して表示あるいは印刷することにより行う。
【００２２】
具体的には、Ｘ線画像診断装置は、被検体Ｍを載置する天板１と、その被検体Ｍに向けてＸ線を照射するＸ線管２と、被検体Ｍを透過したＸ線を検出するフラットパネル型Ｘ線検出器（ＦＰＤ）３とを備えている。その他に、天板１や被検体ＭをＸ線が透過することにより生じた散乱Ｘ線（散乱線）を除去するＸ線グリッド４を備えている。ＦＰＤ３およびＸ線グリッド４は、水平姿勢のときに天板１の下面に設けられたガイド５内に収容されている。天板１は、この発明における載置手段に相当し、Ｘ線管２は、この発明におけるＸ線照射手段に相当し、フラットパネル型Ｘ線検出器（ＦＰＤ）３は、この発明におけるＸ線検出手段に相当し、ガイド５は、この発明における案内手段に相当する。
【００２３】
Ｘ線画像診断装置は、Ｘ線管２を支持する支柱２１を備えるとともに、天板１を支持する主支柱３１を備えている。Ｘ線管２の照射側にはＸ線管２から照射される照視野を制御するコリメータ２２を配設している。本実施例では、主支柱３１の一端が上述したようにＸ線管２を支持し、他端が天板１内に収容されたＦＰＤ３を支持することで、Ｘ線管２およびＦＰＤ３が被検体Ｍの長手方向に沿って互いに同方向に天板１に対して平行移動する（図３を参照）ことで、被検体Ｍにおける所望の部位の透視あるいは撮影を行う。なお、Ｘ線管２およびＦＰＤ３が被検体Ｍの長手方向に沿って互いに同方向に天板１に対して平行移動しながら撮影を行い、各Ｘ線画像を結合することで長手方向の長尺状のＸ線画像を取得することも可能である。
【００２４】
主支柱３１は、床面に設置された基台３２に立設されており、天板１を起倒（傾斜）可能に保持する天板保持部３３を配設している。床面に設置された基台３２に主支柱３１を立設し、天板１を保持する天板保持部３３を配設することで、天板１が保持された状態で、天板１の下面のガイド５内に収容されたＦＰＤ３・Ｘ線グリッド４，ＦＰＤ３を他端で支持した支柱２１，その支柱２１の一端に支持されたＸ線管２およびＸ線管２の照射側に配設されたコリメータ２２も支持される。
【００２５】
天板保持部３３内には、天板１を水平軸の軸心周りに回転させて傾斜させる扇形ラック３４と、扇形ラック３４および主支柱３１に挿入される支軸３５と、扇形ラック３４に嵌合されるピニオン３６と、ピニオン３６を一端に配設した回転軸３７と、回転軸３７を回転させるモータ３８とを収容している。モータ３８が回転軸３７を回転させることで、回転軸３７の一端に配設されたピニオン３６が回転し、ピニオン３６の回転に連動して、それに嵌合された扇形ラック３４が支軸３５を支点として支軸３５周りに回転する。扇形ラック３４が支軸３５周りに回転することで、天板１を水平軸の軸心周りに回転させて傾斜させる。
【００２６】
このように、天板１が水平軸の軸心周りに回転して傾斜すると、天板１を起立姿勢・傾斜姿勢・水平姿勢（臥位姿勢）に起倒させることが可能になる。また、天板１の傾斜に連動して、Ｘ線管２，ＦＰＤ３およびＸ線グリッド４が傾斜するとともに、Ｘ線管２を支持する支柱２１も傾斜する。なお、天板１を起立姿勢に傾斜させる際に、天板１の水平軸の軸心周りの回動位置から天板１下部の距離が、支柱３１の支軸３５から支柱３１下部までの高さよりも長い場合には、起立姿勢が実現できないので、この場合には天板１を上部に移動させれば起立姿勢を実現することができる。
【００２７】
Ｘ線画像診断装置は、他に、図３に示すように、水平姿勢のときに天板１の下面に設けられたカバー６を備えている。なお、カバー６については、水平姿勢・傾斜姿勢・起立姿勢の如何に関わらず、ガイド５と天板１の被検体Ｍの載置面とは逆側の面との間に設けられている。また、水平姿勢のときにカバー６をガイド５の上面に沿わせて支持するように構成する。Ｘ線管２等を除く、天板１，ＦＰＤ３，Ｘ線グリッド４，ガイド５，カバー６および後述するグリッド着脱機構７で、図１〜図５の撮影台を構成している。
【００２８】
図４に示すように、グリッド着脱機構７は、ＦＰＤ３に対して着脱可能にＸ線グリッド４を取り付ける。図４では、グリッド着脱機構７は、スライドレール７１，固定レール７２およびグリッド保持金具７３などを備えている。グリッド着脱機構７は、この発明におけるグリッド着脱手段に相当する。
【００２９】
スライドレール７１にはグリッド保持金具７３が取り付けられ、グリッド保持金具７３にＸ線グリッド４を挟んで取り付けることで、スライドレール７１に対してＸ線グリッド４を取り付ける。スライドレール７１は固定レール７２上をスライド移動可能で、Ｘ線グリッド４を取り付けたスライドレール７１が固定レール７２上を奥に移動することで、Ｘ線グリッド４をＦＰＤ３上に装着する。逆に、Ｘ線グリッド４を取り外すときには、Ｘ線グリッド４を取り付けたスライドレール７１が固定レール７２上を手前に移動して、グリッド保持金具７３からＸ線グリッド４を取り外すことにより行う。
【００３０】
なお、図４では、Ｘ線グリッド４を手動で移動させて着脱するグリッド着脱機構７について説明したが、モータやネジ棒やギアあるいはプーリなどをグリッド着脱機構７に設けてＸ線グリッド４を自動で移動させて着脱する機構であってもよい。また、グリッド保持金具に限定されず、アタッチメント等によりＸ線グリッド４を着脱してもよい。このように、グリッド着脱機構７については、図４のような機構に限定されない。
【００３１】
また、天板１は、図５に示すように、カバー６とともに（天板１や被検体Ｍの）短手方向に移動可能である。天板１とともにカバー６が短手方向に移動するときには、ガイド５は、ＦＰＤ３，Ｘ線グリッド４およびグリッド着脱機構７とともに固定されるようにロックされる。なお、ガイド５は、図２に示すように、ＦＰＤ３，Ｘ線グリッド４およびグリッド着脱機構７全体を覆うような形状であったが、ガイド５がカバー６を支持する程度の長さであれば、ガイド５は、ＦＰＤ３，Ｘ線グリッド４およびグリッド着脱機構７の端部のみを覆う形状であってもよい。
【００３２】
カバー６については、屈曲自在となるような物質あるいは形状で形成する。物質については、例えばビニールでカバー６を形成してもよいし、ゴム等に代表される弾性体でカバー６を形成してもよい。また、物質で限定しないのであれば、蛇腹等の形状でカバー６を形成してもよい。カバー６については、被検体の透視あるいは撮影に邪魔にならない箇所（天板１の端部）に設ければよいが、ビニール等のようにＸ線が大きく減衰しないのであれば、天板１全体に亘ってカバー６を設けてもよい。
【００３３】
続いて、水平姿勢で透視あるいは撮影を行うときのＸ線グリッド４の着脱（取り付けおよび取り外し）について、図５を参照して説明する。また、従来のＸ線グリッドの着脱（取り付けおよび取り外し）についても、図５の比較として図６を参照して説明する。図６は、長手方向から見た短手方向の端部における従来のＸ線グリッドの着脱動作の概略側面図である。従来の図６では、本実施例と共通する箇所については、同じ符号を付する。図５および図６ではグリッド着脱機構７の具体的な構成については図示を省略する。
【００３４】
なお、傾斜姿勢あるいは起立姿勢のときにＦＰＤ３やＸ線グリッド４やグリッド着脱機構７などがガイド５ごと天板１から重力により勝手にはみ出るのを防止するために、長手方向に操作者がアクセスできないように長手方向の両端は天板１の下面は開口されていない。そして、短手方向の両端あるいは一端のみ天板１の下面は開口されている。したがって、従来の図６も含め、本実施例の図５では、操作者のアクセス側および当該アクセスとは逆側の方向は、短手方向に平行であるとして以下を説明する。
【００３５】
従来の図６では、本実施例の図５のガイド５やカバー６を備えていないので、「発明が解決しようとする課題」の欄でも述べたように天板１・ＦＰＤ３間の狭い隙間でのＸ線グリッド４の着脱動作が困難である。天板１が手前側にありグリッド着脱機構７が奥側にあって、天板１がグリッド着脱機構７を覆い隠すような位置にある際にＸ線グリッド４を挿入して取り付けると、装着に困難を伴う等の問題がある。
【００３６】
これに対して、本実施例の図５では、カバー６を、屈曲自在となるような物質あるいは形状で形成する。そして、天板１とともにカバー６が短手方向に移動するときには、ガイド５は、ＦＰＤ３，Ｘ線グリッド４およびグリッド着脱機構７とともに固定されるようにロックされる。このように形成することで、下記のように作用する。
【００３７】
すなわち、図５（ａ）に示すように、操作者のアクセス側に天板１がガイド５に対して移動（図では左側に移動）したときには、天板１とともにカバー６が同方向に移動し、カバー６が、屈曲自在となるような物質あるいは形状で形成されることで、カバー６がガイド５に沿って屈曲される。その結果、カバー６がガイド５とともにグリッド着脱機構７を覆う。
【００３８】
逆に、図５（ｂ）に示すように、操作者のアクセスとは逆側に天板１がガイド５に対して移動（図では右側に移動）したときには、天板１とともにカバー６が同方向に移動し、カバー６がガイド５に沿って退いていく。その結果、グリッド着脱機構７が見えるようになる。天板１がある程度まで動くと、Ｘ線グリッド４を取り外して取り出すことができる。
【００３９】
よって、余分な被曝を抑える必要がある妊婦や小児などに対して透視あるいは撮影を行う場合には、このようにしてＸ線グリッド４を取り外して行うことができる。逆に、Ｘ線グリッド４を取り付けて透視あるいは撮影を行う際には、Ｘ線グリッド４を取り付けて、図５（ａ）に示すように、操作者のアクセス側に天板１がガイド５に対して移動（図では左側に移動）することで、カバー６がガイド５とともにグリッド着脱機構７を覆う。その状態で、Ｘ線グリッド４を取り付けて透視あるいは撮影を行う。
【００４０】
本実施例に係る撮影台（天板１，ＦＰＤ３，Ｘ線グリッド４，ガイド５，カバー６およびグリッド着脱機構７）によれば、天板１に対して、フラットパネル型Ｘ線検出器（ＦＰＤ）３，Ｘ線グリッド４およびグリッド着脱機構７とともに相対的に移動するガイド５を備える。その他に、ガイド５と天板１の被検体Ｍの載置面とは逆側の面との間に設けられたカバー６を備える。天板１がガイド５に対して相対的に移動する際には、カバー６を下記のように構成している。
【００４１】
すなわち、操作者のアクセス側に天板１がガイド５に対して相対的に移動したときには、天板１とともにカバー６が相対的に移動することにより当該カバー６がガイド５とともにグリッド着脱機構７を覆う。つまり、操作者のアクセス側から見て奥側（図５（ａ）では右側）にガイド５・グリッド着脱機構７，手前側（図５（ａ）では左側）から見て天板１・カバー６があるときにカバー６がガイド５とともにグリッド着脱機構７を覆うことで操作者がアクセスしないようにする。
【００４２】
逆に、操作者のアクセスとは逆側に天板１がガイド５に対して相対的に移動したときには、天板１とともにカバー６が相対的に移動することによりガイド５とともにグリッド着脱機構７に対して当該カバー６が相対的に退避する。つまり、操作者のアクセス側から見て手前側（図５（ｂ）では左側）にガイド５・グリッド着脱機構７，奥側（図５（ｂ）では右側）から見て天板１・カバー６があるときにグリッド着脱機構７に対して操作者がアクセスすることができるようにするので、たとえ天板１・ＦＰＤ３間の距離が狭くても、Ｘ線グリッド４を挿入して取り付ける、あるいは取り外すことができて装着に困難を伴うこともない。
【００４３】
したがって、Ｘ線グリッド４の着脱動作を安全に行うことができる。また、カバー６で覆う構造となっているので、天板１に代表される載置手段に造影剤などの液体がかかっても、Ｘ線グリッド４やＦＰＤ３に代表されるＸ線検出手段に液体が被らないという効果をも奏する。
【００４４】
本実施例の場合には、操作者のアクセス側および当該アクセスとは逆側の方向は、短手方向に平行である。したがって、天板１の短手方向のグリッド着脱機構７あるいは（Ｘ線グリッド４を自動で動かす場合には）駆動機構をそのまま利用するので、追加の着脱機構、駆動機構や制御機構を必要としない効果をも奏する。
【００４５】
「課題を解決するための手段」の欄でも述べたように、「天板１に対して、ＦＰＤ３，Ｘ線グリッド４およびグリッド着脱機構７とともに相対的に移動するガイド５」とは、本実施例の図５に示すように、ＦＰＤ３，Ｘ線グリッド４およびグリッド着脱機構７を固定し、カバー６とともに天板１のみが短手方向に移動したときには、ガイド５は、ＦＰＤ３，Ｘ線グリッド４およびグリッド着脱機構７とともに固定されることを意味する。
【００４６】
なお、ガイド５が、ＦＰＤ３，Ｘ線グリッド４およびグリッド着脱機構７とともに長手方向に移動する際には、カバー６も同方向に移動できるように長手方向のガイド５の両端に突起部分を設けて、２つの突起部分にカバー６が嵌合されるように設けるのが好ましい。この場合には、突起部分によって、ガイド５等が長手方向に移動する際にカバー６のみが固定されてしまうのを防止して、ガイド５等の長手方向に連動してカバー６を動かすことができる。
【００４７】
本実施例に係るＸ線画像診断装置によれば、本実施例に係る撮影台の他に、Ｘ線管２を備えることで、天板１に載置された被検体Ｍに対してＸ線管２からＸ線を照射することで当該被検体Ｍの透視あるいは撮影を行うＸ線画像診断装置を実現する。操作者のアクセス側に天板１がガイド５に対して相対的に移動したときには、天板１とともにカバー６が相対的に移動することにより当該カバー６がガイド５とともにグリッド着脱機構７を覆い、操作者がアクセスしないようにする。逆に、操作者のアクセスとは逆側に天板１がガイド５に対して相対的に移動したときには、天板１とともにカバー６が相対的に移動することによりガイド５とともにグリッド着脱機構７に対して当該カバー６が相対的に退避し、グリッド着脱機構７に対して操作者がアクセスすることができる。その結果、Ｘ線グリッド４の着脱動作を安全に行うことができる。
【００４８】
本実施例に係る撮影台およびＸ線画像診断装置では、カバー６を図５に示すように構成・形成して、設けている。
すなわち、カバー６を、屈曲自在となるような物質あるいは形状で形成し、当該カバー６を、ガイド５の面（水平姿勢ではガイド５の上面）に沿わせて支持するように構成することで、操作者のアクセス側に天板１がガイド５に対して相対的に移動したときには、天板１とともにカバーが相対的に移動し、その相対的な移動に伴ってカバー６がガイド５に沿って屈曲されることよりカバー６がガイド５とともにグリッド着脱機構７を覆い、操作者のアクセスとは逆側に天板１がガイド５に対して相対的に移動したときには、天板１とともにカバー６が相対的に移動し、その相対的な移動に伴ってガイド５とともにグリッド着脱機構７に対してカバー６がガイド５に沿って相対的に退避する。
【００４９】
この発明は、上記実施形態に限られることはなく、下記のように変形実施することができる。
【００５０】
（１）上述した実施例では、Ｘ線装置として、起立姿勢での透視あるいは撮影も可能な図１〜図３のＸ線画像診断装置を例に採って説明したが、起立姿勢のみの透視あるいは撮影を行うＸ線装置や、水平姿勢のみの透視あるいは撮影を行うＸ線装置などにも適用することができる。その他にも、３次元画像や断層画像などを取得する断層撮影装置や、被検体の体軸の軸心周りに回転させて撮影するＸ線ＣＴ装置などにも適用することができる。また、撮影台においても、起立姿勢のみの透視あるいは撮影を行う起立姿勢スタンドなどにも適用することができる。
【００５１】
（２）上述した実施例では、Ｘ線検出手段として、フラットパネル型Ｘ線検出器（ＦＰＤ）を例に採って説明したが、撮影のみを行うのであればＸ線フィルムなどに例示されるように、Ｘ線検出手段としては特に限定されない。
【００５２】
（３）Ｘ線グリッドの構成については、特に限定されない。Ｘ線を透過する中間層が空隙で構成されたエアグリッドであってもよいし、Ｘ線を透過する中間層が例えばアルミニウムで構成されたＸ線グリッドであってもよい。また、Ｘ線管の焦点を結ぶ射線に沿って吸収体・中間層を配置した集束グリッドであってもよいし、吸収体・中間層を平行配置したグリッドであってもよい。また、Ｘ線グリッドの吸収体・中間層については、散乱Ｘ線（散乱線）に合わせて一方向のみに配置したグリッドであってもよいし、互いに直交する方向にそれぞれ吸収体・中間層を配置したクロスグリッドであってもよい。
【００５３】
（４）上述した実施例では、載置手段として、図１〜図３および図５の天板１を例に採って説明したが、被検体を載置する載置手段であれば、回診用のベッドに例示されるように、載置手段として特に限定されない。
【００５４】
（５）カバーについては、一方のみアクセスするように１つのみ設けてもよいし、一方とともに当該一方とは対向する側にも両方アクセスするように２つ設けてもよい。
【００５５】
（６）上述した実施例では、案内手段（実施例ではガイド），Ｘ線検出手段（実施例ではＦＰＤ），Ｘ線グリッドおよびグリッド着脱手段（実施例ではグリッド着脱機構）を固定し、カバーとともに載置手段（実施例では天板）のみが移動したときについて説明したが、載置手段（天板）が案内手段（ガイド）に対して相対的に移動するのであれば特に限定されない。例えば、案内手段（ガイド），Ｘ線検出手段（ＦＰＤ），Ｘ線グリッドおよびグリッド着脱手段（グリッド着脱機構）のみを移動させ、カバーとともに載置手段（天板）のみを固定してもよいし、案内手段（ガイド），Ｘ線検出手段（ＦＰＤ），Ｘ線グリッドおよびグリッド着脱手段（グリッド着脱機構）の移動と、カバーおよび載置手段（天板）の移動とを互いに独立して行ってもよい。
【００５６】
（７）上述した実施例では、操作者のアクセス側および当該アクセスとは逆側の方向は、短手方向に平行であったが、これに限定されない。水平姿勢のみの透視あるいは撮影を行う場合には、操作者のアクセス側および当該アクセスとは逆側の方向は、長手方向に平行であってもよい。また、短手方向および長手方向の両方に操作者がアクセスできるようにしてもよい。
【００５７】
（８）上述した実施例では、操作者のアクセス側および当該アクセスとは逆側の方向（実施例では短手方向に平行）およびそれらに直交する方向（実施例では長手方向に平行）の両方向に、載置手段（実施例では天板）に対して、Ｘ線検出手段（実施例ではＦＰＤ），Ｘ線グリッドおよびグリッド着脱手段（実施例ではグリッド着脱機構）とともに相対的に移動したが、操作者のアクセス側および当該アクセスとは逆側の方向（短手方向に平行）のみに相対的に移動する機構であってもよい。
【符号の説明】
【００５８】
１  …  天板
２  …  Ｘ線管
３  …  フラットパネル型Ｘ線検出器（ＦＰＤ）
４  …  Ｘ線グリッド
５  …  ガイド
６  …  カバー
７  …  グリッド着脱機構
Ｍ  …  被検体
【図１】
2013215237.tif 000003
【図２】
2013215237.tif 000004
【図３】
2013215237.tif 000005
【図４】
2013215237.tif 000006
【図５】
2013215237.tif 000007
【図６】
2013215237.tif 000008